(57)【特許請求の範囲】
【請求項１】
異種液体を収納する複数シリンダ２を左右方向へ並立させて一体設させ、かつ各シリンダ前壁３からそれぞれノズル４を突出する連結シリンダ１と、
上記連結シリンダ前部へ、前壁12外周から後方突設した周壁13を着脱自在に嵌合させると共に、上記各ノズルの前端開口面を、内面一部で密閉するキャップ11と、
上記各シリンダ内へ摺動自在に嵌合させた連結プランジャ21とからなり、
上記キャップ周壁13内へ収納される、ノズルの形状を含めて連結シリンダ前部およびキャップ内面を、左右ないし上下の少なくとも一方が左右ないし上下非対称に形成して、上記連結シリンダ前部に対して予め定められた正位置でだけ、キャップ周壁13の嵌合が可能に形成したシリンダ並立液体注出器において、
上記複数シリンダ２の各前壁３を連続させて共通前壁3aに形成すると共に、
該共通前壁から前方突出させた各ノズルの基部4a外面間空間を基部上方間空間と基部下方間空間とに二分して、
その上下空間の一方にノズル基部間を連結するストッパ６を付設し、かつキャップ前壁12の内面からは、上記ストッパ６を有しない他方側空間内へ挿入させて差込み板14を後方突設し、
また上記シリンダ前壁３が上記正位置にある状態でキャップ周壁13内に挿入されたときに上記ノズルの先端を密閉する突部15をキャップ前壁内面に付設し、
上記シリンダ前壁３が上記正位置にない状態でキャップ周壁13内に挿入されたときに上記ストッパ６と差込み板14とが当接することで、上記ノズルの先端と突部15とが接触することを阻止するように設けたことを特徴とする、シリンダ並立液体注出器。
【発明の詳細な説明】
【０００１】
【発明の属する技術分野】
本発明はシリンダを並立する液体注出器に関する。
【０００２】
【従来の技術】
単数のシリンダ内に単数のプランジャを嵌合させてシリンダ先端に設けた注射針から噴出させるよう設けた注射器は周知であるが、そのシリンダを例えば二本連結し、かつそのシリンダ先端からノズルを突出させておき、それ等シリンダ内へそれぞれ基端連結のプランジャを嵌合させて、該プランジャ押込みにより各シリンダ内液体が同時に注出されるよう設けた、液体注出器が知られている。
【０００３】
【発明が解決しようとする課題】
上記注出器の各シリンダ内へは、異なるＡ液、Ｂ液を吸入させておき、それ等を同時に注出させて使用するものであるが、それ等シリンダ先端の各ノズルには両ノズル外面へ同時嵌合可能にかつノズル前端開口面を密閉可能に設けた単数のキャップを嵌合させるものであった。
【０００４】
上記Ａ液、Ｂ液が僅かでも混合しないようにするためには、Ａ液用シリンダのノズルにはキャップのＡ液用部分を、又Ｂ液用シリンダのノズルにはキャップのＢ液用部分を、それぞれ嵌合させることを要するが、キャップを逆に嵌合させることも生じ易く、するとキャップ内に付着していたＡ液がＢ液用ノズル先端に、又キャップ内に付着していたＢ液がＡ液用ノズル先端に付着することとなり、例えばその一方が硬化液であれば、他方ノズルを口元で硬化してしまう。
【０００５】
本発明は上記連結シリンダのノズルの前部および連結シリンダ前部外面へ嵌合させるキャップ内面の左右ないし上下の少なくとも一方が、左右ないし上下非対称とすることで、キャップ正位置でだけ嵌合でき、逆向きでの嵌合が物理的に不能とすることで上記キャップの逆向き嵌合による異質液体の混合を防止できるよう設けたものである。
【０００６】
【課題を解決するための手段】
第１の手段は、
異種液体を収納する複数シリンダ２を左右方向へ並立させて一体設させ、かつ各シリンダ前壁３からそれぞれノズル４を突出する連結シリンダ１と、
上記連結シリンダ前部へ、前壁12外周から後方突設した周壁13を着脱自在に嵌合させると共に、上記各ノズルの前端開口面を、内面一部で密閉するキャップ11と、
上記各シリンダ内へ摺動自在に嵌合させた連結プランジャ21とからなり、
上記キャップ周壁13内へ収納される、ノズルの形状を含めて連結シリンダ前部およびキャップ内面を、左右ないし上下の少なくとも一方が左右ないし上下非対称に形成して、上記連結シリンダ前部に対して予め定められた正位置でだけ、キャップ周壁13の嵌合が可能に形成したシリンダ並立液体注出器において、
上記複数シリンダ２の各前壁３を連続させて共通前壁3aに形成すると共に、
該共通前壁から前方突出させた各ノズルの基部4a外面間空間を基部上方間空間と基部下方間空間とに二分して、
その上下空間の一方にノズル基部間を連結するストッパ６を付設し、かつキャップ前壁12の内面からは、上記ストッパ６を有しない他方側空間内へ挿入させて差込み板14を後方突設し、
また上記シリンダ前壁３が上記正位置にある状態でキャップ周壁13内に挿入されたときに上記ノズルの先端を密閉する突部15をキャップ前壁内面に付設し、
上記シリンダ前壁３が上記正位置にない状態でキャップ周壁13内に挿入されたときに上記ストッパ６と差込み板14とが当接することで、上記ノズルの先端と突部15とが接触することを阻止するように設けている。
【０００９】
【発明の実施の形態】
以下図１から図４が示す実施形態について説明すると、１は二箇のシリンダ２を左右方向へ並立させて一体設させ、かつ各シリンダ前壁３からそれぞれノズル４を前方突出する連結シリンダで、前壁３および後壁５を左右両シリンダ共用の共通前壁3aおよび共通後壁5aとしている。
【００１０】
上記各ノズル４は、大外径とした基部4a,4a 前端から内向きフランジを介して小外径部4b,4b を突出し、上記両基部間に空間を設けて、該空間を基部下方間空間と基部上方間空間とに二分して、その上下空間の一方に、ノズル基部間を連結するストッパ６を付設している。
【００１１】
11は上記連結シリンダ前部へ着脱自在に前壁12外周から後方突出した周壁13を着脱自在に嵌合させたキャップで、図示例では上記基部4a間の空間部分を除く基部外面部分およびストッパ６外面へ周壁13後部を嵌合させている。又図３が示すように前壁12の内面からは、上記ストッパ６を有しない側の上下空間他方側内へ差込み板14を後方突出させている。尚ノズル孔前端面を前壁内面に付設した突部15で密閉させている。
【００１２】
21は既述連結シリンダ１内へ摺動自在に嵌合させた連結プランジャで、該プランジャも後端部において連続形成した押込み板22で連結させている。
【００１３】
このようにすることで図４が示すように、キャップ11を左右逆向きとして連結シリンダ前部へ嵌合させようとすると、差込み板14がストッパ６に接することで嵌合できず、よって図３のように正位置へ戻して嵌合させることとなる。
【００１４】
図５と図６とは本発明の参考例を示す。この例は、既述第１実施形態におけるストッパ６と差込み板14とに代えて、連結シリンダ１のノズル小外径部4b,4bを、図左方は横断面四角形状に、かつ図右方は横断面円形に、それぞれ形成し、又それ等ノズル小外径部へ嵌合させる、横断面四角形状と横断面円形の栓筒16,16 を、それぞれキャップ前壁12の内面から後方突出させている。図左方の四角状栓筒16a は、キャップを左右逆向きとして図右方に位置する円形のノズル小外径部4b外面へは嵌合不能とし、又図右方の円形栓筒16b も図左方の四角形のノズル小外径部4b外面へは嵌合不能としている。
【００１５】
その他部分は第１実施形態の場合と同様に設けており、よって同一符号を付することで説明は省略する。
【００１６】
既述の構成のほか、キャップの左右逆嵌合を防止する手段としては種々の手段が考えられるが、要するにノズルの形状を含めて連結シリンダの前部およびキャップ11の内面を、左右ないし上下の少なくとも一方が左右ないし上下非対称に形成して、連結シリンダ前部に対して、予め定められた正位置でだけ、キャップ周壁13の嵌合が可能に形成すればよい。
【００１７】
又既述注出器は、シリンダ数が二箇である場合について説明したが、シリンダ数は複数であってもよい。
【００１８】
尚各シリンダへの液体の吸入および注出は、公知のようにキャップ11を外して、シリンダ２内からのプランジャ後退による各シリンダ内の負圧化によって液体吸入し、又そのプランジャ前進によるシリンダ内高圧化により液体注出させて行う。
【００１９】
既述各部材はそれぞれ合成樹脂材で成形することが出来る。
【００２０】
【発明の効果】
本発明は既述構成とするものであり、請求項１記載の場合は、連結シリンダ前部へ嵌合させるキャップ11は、予め定められた正位置でだけ嵌合でき、逆位置での嵌合は不能となるから、例えばＡ液注出用ノズル前端面へ、Ｂ液注出用ノズル前端面閉塞用のキャップ内面部分が触れることで、Ａ液とＢ液とがノズル前端面およびキャップ内面部分で混合することを防止できる。
【００２１】
また混合防止手段としてストッパ及び差込み板を用いることで、前段落で述べた効果を確実とし、かつ構成を簡易とすることが出来る。
【図面の簡単な説明】
【図１】  本発明注出器の横断面図である。
【図２】  キャップを外して示す、図１注出器の前面図である。
【図３】  図１注出器の縦断面図である。
【図４】  図３要部へ、キャップを逆向きに嵌合させようとした場合の説明図である。
【図５】  第２実施形態で示す、本発明注出器要部の拡大断面図である。
【図６】  図５注出器からキャップを外して示す前面図である。
【符号の説明】
１…連結シリンダ            ３…前壁
４…ノズル                  ６…ストッパ
11…キャップ                14…差込み板
15…突部                    16…栓筒
21…連結プランジャ
【図１】
0003980254.tif 000002
【図２】
0003980254.tif 000003
【図３】
0003980254.tif 000004
【図４】
0003980254.tif 000005
【図５】
0003980254.tif 000006
【図６】
0003980254.tif 000007